(57)【要約】      （修正有）【課題】血管の蛇行した部分を通って、容易に導入することのできる脈管内ステントを提供する。【解決手段】ステント１０は、介在連結ストラットコラム２６により、互いに連結された拡張コラムすなわちリング２４よって作られている。近位端１２上の第１のコラムおよび遠位端１４上の最後のコラムは拡張コラム２４である。拡張コラム２４は一連の拡張ストラット２８および結合ストラット３０から形成されている。拡張ストラット２８は、ステント１０の長手軸線の方向に、少なくとも一部が延びるように配置された薄く、細長い部材である。【選択図】図１Ａ
2008055187.tif 000002
【特許請求の範囲】
【請求項１】
バルーンにより拡張可能なステントであって、
複数の拡張コラムを備え、前記各拡張コラムは相互に接続されたストラットからなり、前記複数の拡張コラムは、同じ長さを有するストラットからなる複数の第１の拡張コラムと、前記第１の拡張コラムとは異なる長さを有し、拡張コラム毎にその長さが徐々に増大する複数の第２の拡張コラムとを含み、隣接する拡張コラムは複数の連結ストラットを介し結合されていることを特徴とするステント。
【請求項２】
請求項１記載のステントにおいて、
前記ステントは、シームの無い管状をなすことを特徴とするステント。
【請求項３】
請求項１記載のステントにおいて、
前記ステントは、管を切断して形成されていることを特徴とするステント。
【請求項４】
請求項１記載のステントにおいて、
複数の前記第２の拡張コラムは、前記ステントの拡張時に同ステントの傾斜部分を形成することを特徴とするステント。
【請求項５】
請求項４記載のステントにおいて、
前記傾斜部分は、前記ステントの膨張時において同ステントの全長の大部分に亘り延在していることを特徴とするステント。
【請求項６】
請求項１記載のステントにおいて、
複数の前記第２の拡張コラムは、前記ステントの全長の大部分に亘り延在していることを特徴とするステント。
【請求項７】
請求項１記載のステントにおいて、
前記ステントは、バルーンカテーテルの先細なバルーン上に装着されていることを特徴とするステント。
【発明の詳細な説明】
【技術分野】
【０００１】
本発明は、脈管内ステントに関するものであり、さらに詳細には、血管の蛇行した部分を通って、容易に導入することのできる脈管内ステントに関するものである。
【背景技術】
【０００２】
冠状動脈ないし一般の血管の血管形成術が発展し、狭窄した血管の血管再生のための最も効果的な手段となっている。１９８０年代の初めに、血管形成術はまず、冠状動脈の臨床実務に利用されるようになり、それ以来、従来のバイパス移植手術に代わる効果的な方法であることが証明されている。血管形成術に用いられるバルーンカテーテルも、これにともなって、最も信頼ができ、実用的なインターベンション方法であることが証明されている。レーザに基づく治療や方向性又は回転性冠状動脈粥腫切除術などの他の補助的技術は、効果に限界があるか、あるいは、意図する手法を実現するためのバルーン血管形成術次第であることがわかっている。バルーンに基づく血管形成後の再狭窄は、最も深刻な欠陥であり、冠状動脈システムにおいて、とくによく発生する。
【０００３】
再狭窄を抑制するために、レーザに基づく治療や方向性又は回転性冠状動脈粥腫切除術などを含む数多くの養生法が工夫されたが、限定的な成功を収めるの留まっている。しかしながら、脈管内にステントを設けることは、血管形成後の再狭窄の割合を顕著に減少させる。脈管内にステントを位置させる手法は、典型的に、ステントの設置に先立って、バルーン血管形成術を用いて、目的血管をあらかじめ拡張させ、ステントを拡張させて、拡張された血管壁を内部から支持させることを必要とする。
【０００４】
脈管内ステントは、血管の内腔のための骨格結合の機能を果たす。ステントによる血管壁の骨格結合は、（a）拡張された血管壁が弾性的に反動することを防止し、（b）バルーン血管形成術で一般的に起こる血管の残留する狭窄症をなくし、（c）ステントが設けられた血管部分の直径を、ステントが設けられた部分の近位および遠位の塞がれていない本来の血管部分の直径よりもわずかに大きく保ち、（d）最近の臨床データに示されるように、再狭窄の割合を低下させるのに役立つ。血管形成術に続いて、ステントが設けられた血管の再狭窄の割合が、ステントが設けられていない血管や薬物治療および既述の他の方法を含む治療などの他の方法により治療された血管に比べ、大幅に低下することが判明している。血管にステントを設ける別の利点は、血管形成術から生じるバイパス手術の緊急性を潜在的に低下させることである。ステントを設けることは、血管形成術中に、血管の差し迫った閉鎖を処置するために、ある場合に効果的であることがわかっている。ステントを設けることは、血管形成術中に、通常の処置によって生ずる血管の不安定な局所的な内膜の裂け目を制御し安定化させることができる。
【０００５】
ある場合には、バルーン血管形成術による血管の病巣組織の不完全ないし最善ではない拡張を、ステント移植片を用いて、成功裡に開くことができる。
開発の初期においては、ステント、とくに、冠状動脈内におけるステントの実用化は深刻な抗凝固性の問題を有していた。しかしながら、それ以来、抗凝固性技術が発展し、現在は、簡易にかつ効果的になっている。患者外抗凝固性治療を含むより良く、より容易な養生法が絶えず導入され、ステント患者の入院期間が短くなっている。
【０００６】
従来のステントの特許の例は、米国特許第５１０２４１７号（以下、Palmaz特許）である。このPalmaz特許に記載されているステントは直列の細長い管状部材よりなり、管状部材はその長手軸線にほぼ平行に配置された複数のスロットを有している。管状部材は少なくとも１つの可撓性連結部材によって連結されている。
【０００７】
Palmaz特許の拡張しない管状部材は、過度に剛性があり、その結果、実用的な応用範囲は短い長さに限定される。直列の管状部材を連結する可撓性連結部材を備えたマルチリンク設計にした場合でさえ、長いステントは、蛇行した血管を通ることができない。さらに、拡張しない管状部材は剛性が高いため、挿入の際に、血管を損傷する虞が大きい。挿入時において、ステントが短くなると、ステントの正確な位置決めを困難にし、拡張したステントが覆うことのできる面積が減少する。さらに、ステントの長手軸線に沿った直径をテーパーが付けられた拡張ステントが得られるようにプログラムする方法はなく、ステントの端部または他の領域を強化する方法も提供されていない。
【０００８】
従来のステントの特許の別の例は、WO９６/０３０９２、すなわち、Ｂｒｕｎ特許である。Ｂｒｕｎ特許に記載されたステントは、第１および第２の曲がりくねったパターンを有するパターン化された形状の管により形成されている。偶数と奇数の第１のパターンは、その位相が１８０度ずれ、奇数パターンは、２つずつの偶数パターンの間に生じる。第２の曲がりくねったパターンは、管の軸線に沿って、第１の曲がりくねったパターンに垂直に走っている。
【０００９】
隣接する第１の曲がりくねったパターンは、第２の曲がりくねったパターンによって連結され、ほぼ均一に分布されたパターンを形成している。鋭い直角の屈曲部を有する第１および第２の曲がりくねったパターンを対称的に配置することは、デリバリー時における血管の壁上での捕捉および障害を見込んでいる。さらに、第２の曲がりくねったパターンにおける大きな旋回は拡張時に十分真っ直ぐにはならず、拡張したステントの剛性および構造強度を低下させる。さらに、ステントの長手軸線に沿った直径をテーパーが付けられた拡張ステントが得られるようにプログラムする方法はなく、ステントの端部または他の領域を強化する方法も提供されていない。
【００１０】
これらおよび他の従来のステントの設計は、種々の程度で、（a）拡張しないステントのコラム剛性のため、血管内の屈曲部を通ることが不可能であること、（b）拡張しないステントの半径方向および軸線横方向の構造強度の欠如、（c）拡張時におけるステントの大きな短縮、（d）制限されたステントの長さ、（e）拡張したステントの一定の直径、（f）低いクリンプ特性ならびに(g)拡張しないステントの粗い表面状態を含んだ種々の欠点を有している。
【００１１】
拡張していない状態において、十分な長手方向可撓性を有し、蛇行した血管を通ることのできるステントが要求されている。さらに、拡張していない状態において、構造的な強度が高く、デリバリー時における損傷やねじれの虞が最小なステントが要求されている。さらにまた、拡張時においても、長手方向長さがほぼ一定に保たれ、目的部位を大きく覆うことができ、簡易に、ステントを適切な位置させることができるステントが要求されている。さらに、１００ｍｍまでの長いステントを蛇行した血管を通して、安全にデリバリーすることのできる長手方向に十分な可撓性を有するステントを設計することが要求されている。その長さに沿って、種々の直径に拡張して、目的血管の自然のテーパーと調和するテーパーを生成することのできるように構成されたステントが要求されている。（ｉ）低い輪郭と可撓性を維持しつつ、膨張したバルーン上に強固にクリンプされ、（ii）デリバリーバルーン上にクリンプされた時に、滑らかな表面状態を有し、あるいは、（iii）端部もしくたは中央部またはその双方に、ステントの端部を目的血管の血管壁に対して、確実に位置するように保つ補強リングを有するステントが要求されている。
【発明の開示】
【発明が解決しようとする課題】
【００１２】
本発明の目的は、血管の内腔に骨組を提供することにある。
本発明の別の目的は、血管形成後における血管の反動を防止するステントを提供することにある。
【００１３】
本発明の他の目的は、バルーン血管形成術のみにより得られる結果に比して、大きい血管内腔を維持するステントを提供することにある。
本発明のさらに他の目的は、拡張したときに、ステント長さの短縮を減少させたステントを提供することにある。
【００１４】
本発明の別の目的は、血管内の選択された部位にデリバリーされたときに、可撓性が増大するステントを提供することにある。
本発明の他の目的は、ステントアセンブリのデリバリーバルーン上にクリンプされたときに、ロープロフィールを有するステントを提供することにある。
【００１５】
本発明のもう一つの目的は、チューリッピングが少ないステントフレームを備えたステントを提供することである。
本発明のもう一つの目的は、蛇行した血管または湾曲した血管内で、脈管”ハングアップ（はまりこんで動かなくなること）”が少ないチェーンメッシュステントを提供することである。
【００１６】
本発明のもう一つの目的は、拡張したステントの半径およびアクシオラテラル強度(axio-lateral)を増加させチェーンメッシュステントを提供することである。
【課題を解決するための手段】
【００１７】
本発明のこれらおよび他の目的は、非拡張状態のステントで達成される。第１の拡張ステント対は、第２の拡張ストラットに隣接して位置決めされた第１の拡張ストラットと、第１および第２の拡張ストラットを第１の拡張ストラット対の遠位端で結合する結合ストラットとを含んでいる。複数の第１の拡張ストラット対が、第１の拡張コラムを形成している。第２の拡張ストラット対が、第２の拡張ストラットに隣接して位置決めされた第１の拡張ストラットと、第１および第２の拡張ストラットを第２の拡張ストラット対の近位端で結合している第２の拡張ステント対の結合ストラットとを含んでいる。複数の第２の拡張ストラット対が、第２の拡張コラムを形成している。第１の連結ストラットが、第１の連結ストラット近位部分と、第１の連結ストラット遠位部分と、第１の連結ストラット中間部分とを含んでいる。第１の連結ストラット近位部分は、第１の拡張コラム内で、第１の拡張ストラット対の遠位端に連結され、第１の連結ストラット遠位部分は、第２の拡張コラムの第２の拡張ストラット対の近位端に連結されている。複数の第１の連結ストラットが、第１の拡張コラムを第２の拡張コラムに連結する第１の連結ストラットコラムを形成している。第１の連結ストラット近位部分の長さは、第１の連結ストラット遠位部分の長さに等しく、第１の連結ストラット中間部分の長さは、第１の連結ストラット近位部分および第１の連結ストラット遠位部分の長さより長い。
【発明を実施するための最良の形態】
【００１８】
本発明の第１の実施態様が、図１Ａ、図１Ｂ、図１Ｃ、図２Ａおよび図２Ｂに示されている。図１Ａを参照すると、拡張していない状態における細長く、中空の管状ステント１０が図示されている。近位端１２と遠位端１４がステント１０の長手方向長さを決定している。ステント１０の長手方向長さは１００ｍｍ以上とすることができる。近位開口１８と遠位開口２０がステント１０の内腔２２に接続する。ステント１０は、シームまたは溶接継ぎ手のない単一ピースでも、複数のピースを含んでいてもよい。
【００１９】
ステント１０は、介在連結ストラットコラム２６により、互いに連結された２ないし５０の拡張コラムすなわちリング２４よって作られている。近位端１２上の第１のコラムおよび遠位端１４上の最後のコラムは拡張コラム２４である。
【００２０】
拡張コラム２４は一連の拡張ストラット２８および結合ストラット３０から形成されている。拡張ストラット２８は、ステント１０の長手軸線の方向に、少なくとも一部が延びるように配置された薄く、細長い部材である。膨張バルーンあるいは他の手段により、内部から、ステント１０に外向きの外力が加わると、拡張ストラット２８は、さらに周方向に延びるように、すなわち、円筒状ステント１０の表面に沿い、その長手軸線に直行して、延びるように、再指向される。拡張ストラット２８が再指向されることにより、ステント１０は拡張した周囲と直径を有することになる。図１Ａにおいて、拡張していないステント１０の拡張ストラット２８は、ステント１０の長手軸線にほぼ平行に延びるように見える。
【００２１】
拡張ストラット２８は、結合ストラット３０により、互いに結合され、複数の拡張ストラット対３２を形成する。拡張ストラット対は、閉じた端部３４と開放された端部３６を有している。別の結合ストラット３０は、隣接する拡張ストラット対３２の拡張ストラット２８を、拡張ストラット２８が隣接する拡張ストラット２８に、近位端と遠位端で、交互に結合されて、拡張コラム２４を形成するように、互いに結合する。各拡張コラム２４は複数、典型的には、８ないし１２、１２ないし１６あるいはそれ以上の拡張ストラット２８を有している。拡張コラムは、ステント１０の円周の周りに延びる、連続的な途切れていないリング構造であるのが好ましいが、個々のストラットまたはストラットピースが、連続拡張コラム２４から取り除かれた途切れた構造を使用してもよい。
【００２２】
連結ストラット３８は、隣接する拡張コラム２４を連結し、それぞれステント１０の周囲に延びている一連の介在連結ストラットコラム２６を形成する。各連結ストラット３８は、拡張コラム２４内の一対の拡張ストラット２８を、隣接する拡張コラム２４内の隣接する一対の拡張ストラット２８に結合する。図１Ａのステント１０については、拡張コラム２４内の拡張ストラット２８の連結ストラットコラム２６内の連結ストラット３８に対する比は２対１である。しかしながら、この比は一般にｘ対１とすることができる。ここに、ｘは２より大きくまたは小さい数である。さらに、図１Ａのステント１０は、近位端の拡張コラム２４で始まり、遠位端の拡張コラム２４で終わるので、コラム当たり、ｍの拡張ストラット２８を有するｎの拡張コラム２４があるとき、ｍ−１の連結ストラットコラム２６とｎ×（ｍ−１）/２の連結ストラット３８があることになる。
【００２３】
各拡張コラム２４内の拡張ストラット２８に比べて、各連結ストラットコラム２６内の連結ストラット３８の数が少ないため、ステント１０は長手方向に可撓性を有することになる。長手方向の可撓性は、幅の狭い連結ストラットを用い、自然の血管の湾曲部を回って、通るときに、ステント１０に、さらに可撓性と柔軟性を与えることにより、さらに増大させることができる。
【００２４】
ステント１０内のストラット間のオープンスペースの少なくとも一部は非対称セルスペース４０を形成している。セルスペースは、拡張ストラット２８、連結ストラット３８あるいは結合ストラット３０を含むステントストラットの１つまたはこれらの組み合わせによって囲まれたステント１０の表面上の空の領域である。非対称セルスペース４０は、幾何学的な対称性を有さない、すなわち、回転、反転、回転と反転の組み合わせあるいはその他の対称性を有していないセルスペースである。非対称なセルスペース４０は、非対称な幾何学的形状を有している。  図１Ａの非対称セルスペース４０は、第１の拡張コラム２４内の拡張ストラット対３２、第１の連結ストラット３８、隣接する拡張コラム２４内の第２の拡張ストラット対３２、第１の結合ストラット３０、第２の連結ストラット３８および第２の結合ストラット３０により取り囲まれている。さらに、非対称セルスペース４０の拡張ストラット対３２は周方向のオフセットしていてもよく、すなわち、同一直線状にない長手軸線を有し、対向する開放端部３６を有していてもよい。拡張ストラット対３２の２つの拡張ストラット間のスペースは、ループスロット４２として知られている。
【００２５】
図１Ｂは、ステント１０の内腔２２、半径４４およびステント壁４６を示している。ステント壁４６は、拡張ストラット２８、連結ストラット３８および結合ストラット３０を含むステントストラットからなっている。
【００２６】
図１Ｃは、近位端１２、遠位端１４、長手方向長さ１６、内腔２２、ステント１０のステント壁４６を示している。内腔２２は、ステント１０の円筒表面を形成するステント壁４６により取り囲まれている。
【００２７】
図２Ａおよび図２Ｂを参照すると、ステント１０の結合ストラット３０が、拡張ストラット２８と角度をなして延び、拡張ストラット対３２の一方の拡張ストラット２８との間に狭い角度４８を、拡張ストラット対３２の他方の拡張ストラット２８との間に広い角度５０をなしていることがわかる。狭い角度４８は９０度未満であり、広い角度５０は９０度を越えている。結合ストラット３０は、ステント１０の長手軸線に沿って、長手方向に、また、長手軸線に垂直なステント１０の表面に沿って、周方向に、延びている。
【００２８】
ある拡張コラム２４内の隣接する拡張ストラット２８の間の拡張ストラットスペース５２は、図２Ａおよび図２Ｂのステント１０内では均一である。しかしながら、均一でないスペースもまた使用することができる。拡張ストラットスペース５２は変化させることができ、たとえば、拡張コラム２４内の隣接する拡張ストラット２８の間のスペースは狭いスペースと広いスペースとの間で変えることができる。さらに、単一の拡張コラム２４内のスペース５２は、他の拡張コラム２４内の他のスペース５２と異なっていてもよい。
【００２９】
ループスロット４２を形成する拡張ストラットスペース５２を変化させることは、ループスロット幅を可変にする。さらに、ループスロット４２の長手軸線は、隣接する拡張コラム２４内のループスロット４２の長手軸線と同一直線上になくてもよく、平行である必要さえない。図２Ａおよび図２Ｂは、共線的で平行なループスロット４２が隣接して形成されるように、拡張ストラット２８が配置されている場合を図示しているが、非共線的で平行でないループスロット４２もまた使用可能である。
【００３０】
さらに、ループスロット４２の形状は、単一あるいは複数の拡張コラム２４のループスロットの間で同一である必要はない。ループスロット４２の形状は、拡張ストラット２８および/またはループスロット４２の境界を画定している拡張ストラット対３２の拡張ストラット２８を連結している結合ストラット３０の向きおよび物理的な寸法を変化させることにより、変えることができる。
【００３１】
連結ストラット３８は、ある拡張コラム２４内の拡張ストラット対の遠位端を第２の拡張コラム２４内の隣接する拡張ストラット対３２の近位端に連結することにより、隣接する拡張コラム２４を結合する。図２Ａおよび図２Ｂの連結ストラット３８は、２つの直線部分により形成され、第１の直線部分５４は、その遠位端で、第２の直線部分５６の近位端に結合され、第１の傾斜角５８を形成している。
【００３２】
連結ストラット３８の第１の直線部分５４は、結合ストラット３０が拡張ストラット２８と狭い角度４８をなしている点で、拡張ストラット２８に結合される。第１の直線部分５４は、はぼ共線的に結合ストラット３０に延び、結合ストラット３０の線は拡張コラム２４間のスペースに続いている。第１の直線部分５４の遠位端は、第２の直線部分５６の近位端に結合され、傾斜角を形成している。第２の直線部分５６は、その遠位端で、隣接する拡張コラム２４内の結合ストラット３０に連結する拡張ストラット２８にほぼ平行に延びている。第２の直線部分５６の遠位端は、結合ストラット３０が拡張ストラット２８と狭い角度４８をなしている点で、拡張ストラット２８に付着している。結合ストラット３０は、さらに、第１の傾斜角の幅と同じでも異なっていてもよいような幅を有する第２の傾斜角を有していてもよい。
【００３３】
図２Ａ及び図２Ｂは、ステント１０の長手方向軸に関して傾斜している連結ストラット３８と結合ストラット３０を示しており、これらのストラットは、周方向にコラムから隣りのコラムに交番している。周方向は、傾斜したストラットがステント１０の表面の周りを曲がるときの硬さに関係している。連結ストラットコラム２６の連結ストラット第１直線部５４の傾斜の円周方向は、隣接する連結ストラットコラム２６の連結ストラット第１の直線部分５４の傾斜の周方向と反対である。同様に、拡張コラム２４の結合ストラット３０の傾斜の周方向は、隣接する拡張コラム２４の結合ストラット３０の傾斜の周方向と反対である。連結ストラット３８と結合ストラット３０の周傾斜方向が交番しているため、デリバリ時と拡張時にステント１０の軸方向のねじれまたはそり(warp)が防止される。他の交番でない傾斜方向パターンが、連結ストラット３８又は結合ストラット３０若しくは両者に使用可能である。
【００３４】
図３Ａ及び図３Ｂは、本発明による非拡張時及び拡張時のステントのデザインをそれぞれ概略的に示している。このデザインは、ステント１０がその長手方向軸と平行に切断されて広げら、平面に投影されて示されている。連結ストラット３８は、枢軸点６０で傾斜角５８を形成する第１の直線部分５４と第２直線部５６とから構成されている。不対称なセルスペース４０が、拡張ストラット対３２、連結ストラット３８及び結合ストラット３０により形成されている。マルチインターロックの非対称セルスペース４０がデザインパターンを構成している。
【００３５】
ストラットが拡張されたとき、図３Ｂに示すように、拡張ストラット対３２は、円筒状ステントの長手方向軸に沿う拡張ストラット２８の長さを短くさせながら、それらの開口端部３６で離れるように広がる。拡張時に拡張ストラット２８が長手方向に短くなるのは、結合ストラット３８が長手方向に長くなるのと逆である。拡張時に傾斜角５８が広がることにより、連結ストラット３８は真っ直ぐになり結合された拡張ストラット対３２の間の距離は長くなる。この結合された拡張ストラット対３２の間の距離が長くなることにより、拡張ストラット２８が長手方向に短くなることが実質的に補償されている。このように、ステントは、非拡張時及び拡張時の両方でそれぞれほぼ一定の軸方向長さを有する。
【００３６】
ステントが拡張されたとき、各拡張コラム２４は、ストラット間のスペースを広げながら、円周方向に伸びる。拡張プロセス中に真っ直ぐになった連結ストラット３８により拡張コラム２４がインタロックされることにより、ステント１０に大きな径方向の支持力が与えられる。拡張されたときには、ステント１０の全体が、伸びた拡張コラム２４及び連結ストラットコラム２６の連続するチェーンメッシュとして一体となり、これが、軸方向及び径方向の両方のつぶれに耐える非対称のインターロックのセルジオメトリを形成する。ステントが拡張されたとき、ステントの剛性と疲労限度は増大する。
【００３７】
更に、枢軸点６０での連結ストラット３８が効率的に曲り且つ伸びるため、それにより、ステントの長手方向の可撓性が増大する。ステントが長手方向に曲がるためには、少なくともいくらかの連結ストラット３８がそれらの接平面で強制的に曲げられる。特定の連結ストラット３８の接平面は、その連結ストラット３８でステントの円筒表面にほぼ接する面である。連結ストラット３８の幅は、一般的には厚みの２から４倍又はそれ以上であり、それにより、連結ストラット３８が接平面で曲がるとき比較的に可撓性が小さくなる。しかしながら、連結ストラット３８の枢軸点６０により、連結ストラット３８がその周りで容易に曲がるための可撓性のある結合点となり、これによりステントの長手方向の可撓性が増大する。
【００３８】
図４Ａ及び図４Ｂには、本発明のステント１０の第１実施形態の変形例が示されている。この変形例においては、ステント１０は、３３．２５ｍｍの長さ１６及びクリンプされず且つ拡張されていない５．２６ｍｍの円周８８を有する。１５個の拡張コラム２４は、連結ストラットコラム２６とともに散在している。
【００３９】
各拡張コラム２４は、６個のストラット対３２を形成する結合ストラット３０によりそれらの近位端と遠位端とで交番して結合されている１２個の拡張ストラット２８により構成されている。拡張ストラット２８は、円筒状のステント１０の長手方向軸に対して平行に配列されている。結合ストラット３０は、拡張ストラット対３２の各々と狭い角度４８と広い角度５０を形成する。隣接する拡張コラム２４は、周方向の傾斜方向が交番する結合ストラット３０を使用している。この第１実施形態の変形例では、拡張ストラットの幅６２は２０ｍｍであり、拡張ストラットの長さ６４は１．５１ｍｍであり、さらに、連結ストラットの幅６６は０．１３ｍｍである。同じ拡張コラム２４の第１拡張ストラット２８の外側端から第２の隣接する拡張ストラット２８の外側端までの距離６８は０６４ｍｍであり、０２４ｍｍであるループスロットの幅７０を残している。
【００４０】
第１実施形態の変形例では、連結ストラット３８は、傾斜角５８で第２直線部５６に結合されている傾斜した第１直線部５４から構成されている。第１直線部５４は、第２直線部５６より少し長く、さらに、拡張コラム２４の拡張ストラット２８に対してその近位端で取り付けられている。第１直線部５４の近位端の拡張ストラット２８への取付点は、結合ストラット３０と拡張ストラット２８との角度４８が狭くなる部分である。第１直線部５４は結合ストラット３０に対してほぼ同一直線上で延びており、傾斜角５８を形成するようにその遠位点が第２直線部５６の近位端に取り付けられている。第２直線部５６は拡張ストラット２８に対してほぼ同一直線上で延びており、その遠位点が隣接の拡張コラム２４の拡張ストラット２８に取り付けられている。この取り付けは、拡張ストラット２８が結合ストラット３０と狭い角度４８を形成する部分で行われる。結合ストラット３０及び連結ストラット第１直線部５４は、コラムから隣接するコラムまで交番する周方向に傾斜している。
【００４１】
狭い角度４８が形成されている点で連結ストラット３８と拡張ストラット２８が結合されているので、拡張していないステントの表面を流線形にすると共に当たる可能性のある点を少なくすることにより、ステント１０のスムーズなデリバリがし易くなる。血管の目標損傷部にステント１０を裸でデリバリすることにより、血管中の曲り部分を通るときに突き剌さったり当たったりすることが最小限となる。ステント１０は、デリバリ用カテーテル上で血管内で前後方向に移動するとき、可撓性のあるチューブ状のそりのように挙動し、蛇行した血管内及び血管壁の内側のアステローム硬化症のプラークにより生じた不規則な出っ張り上を滑る。
【００４２】
図４Ａ及び図４Ｂに示す十分に拡張されたステント１０は最大５．０ｍｍまでの初期直径を有し、一方、許容できる半径方向強さ及び疲労限度を保持している。クリンプ(crimped)されたステントの外径は、下にあるデリバリ用バルーンプロフィールの状態により１．０程度に小さいか又はそれ以下である。クリンプされたステントの外径が小さいということは、目標部位を予め拡張することなしにステントをデリバリする場合には重要である。ステントがオプションとしてデリバリ用バルーン上でクリンプされたときには、クリンプされたステントの表面は、血管内を前後に移動するときステントストラットが突き刺さったりすることがないように、滑らかである。
【００４３】
図５は本発明の第２実施形態を示し、この第２実施形態では、拡張された形態のステント１０では、近位端１２から遠位端１４まで徐々に傾斜している。拡張ストラット２８の影が付けられたセグメント７２，７４，７６，７８，８０，８２，８４は、取り外されるべき拡張ストラット２８の領域を示している。影が付けられたセグメント７２，７４，７６，７８，８０，８２，８４を取り外すことにより、ステント１０は、近位端１２よりも小さな拡張された直径を持つ遠位端とと共に拡張されてときには、徐々に傾斜する。所定の拡張コラム２４でステント１０の拡張された直径を短くする程度は、拡張コラム２４の取り外されたセグメント７２，７４，７６，７８，８０，８２，８４の長さに比例する。拡張されたステント１０において、短くなった拡張ストラット２８は、円周と直径が短くなるようなステントの環境に沿って短くなったコンポーネントを有する。傾斜した直径部分は、ステント１０の長さに沿ってどこでも配置可能であり、さらに、所定の拡張コラム２４の拡張ストラット２８の適当に大きいか又は小さい部分を取り除くことによりほぼ徐々に傾斜する。血管の傾斜は長くなるほど明らかになるため、１２ｍｍより長いステントにおいて特に重要である。均一なステント直径を持つ長いステントは、短い領域上でのみ目標血管直径に対して一致させることができる。近位の血管寸法がステント直径と一致する場合には、ステントの拡張された直径は、自然な血管には大きすぎることになり、さらに、ステントの拡張により遠位血管の初期切開が必要となる可能性がある。一方、遠位血管の寸法がステントの直径と一致すれば、拡張されたステントの近位端は、血管壁の内側にセットするには小さすぎることになる。
【００４４】
テーパ拡張ステントを達成する別の仕方は、ストラットの剛性がステントの長さに沿って変化するように、ステントストラット、拡張ストラット、連結ストラット又は結合ストラットの剛性を変えることにある。ストラットの剛性は、長さ、幅、厚さを変更すること、追加の剛性材料を追加すること、化学的又は機械的手段を用いてステント材料の物理的特性を変更すること、または、ステントに一つ又は一連のエラスティック要素をつけることによって変えることができる。テーパ直径ステントの使用に加え、かかるテーパ直径ステントをデリバリ及び配置することができるように、適合したテーパバルーンカテーテルを作るのが理想である。テーパ直径ステントに関してテーパ適合バルーンカテーテルを使用する方法は本発明の範囲内にある。
【００４５】
テーパバルーンを使用して非テーパステントを拡張させることもまた、テーパ拡張ステントを達成することになる。しかしながら、金属をステントから取り除くことはできないので、ステントは不完全な拡張の結果としてテーパする。従って、ステントはテーパ端において金属の割合を増大させることになり、このことは、急性血栓症の危険を高めてしまうことになる。金属の割合は、ステントストラット材料によって被覆された拡張ステントの表面の比率である。図５に示すように拡張ストラットを短縮することにより、テーパステントはその長さに沿って金属の割合を実質的に一定にすることができる。
【００４６】
図６Ａ及び図６Ｂに示す本発明の第３実施形態が、ステント１０の長さに沿って配置された多式強化拡張コラム８６を有する。これらの強化コラム８６は、ステント１０に追加の局部的な半径方向強度及び剛性を与えるため、ステントの長さに沿って配置される。追加の強度及び剛性は、ステントの変形をデリバリ中及び配置後の両方において防止するため、ステントの端において特に重要である。デリバリ中、ステントの端は血管壁をひっかけてしまうことがあり、拡張されていないステントを変形させ、ステントの拡張特性を変えてしまうかもしれない。ステントを配置した後には、ステントの端が血管壁に堅固に当接して配置されるようにステントの端を固定することが重要である。さもなければ、引き続くカテーテル作業中、カテーテル又はガイドワイヤがステントの端をひっかけて、ステントを血管壁から離れるように引っ張り、血管を傷つけてしまい、及び又は、血管を遮断してしまうことがある。
【００４７】
図６Ａ及び図６Ｂに示すステント１０の第３実施形態の特定例は、２０．７０ｍｍの長さ１６と、５．２６ｍｍの、クリンプされても、拡張されてもいない円周８８とを有する。ステント１０は、６つの拡張コラム２４と、３つの強化拡張コラム８６とを有し、各コラムは、夫々、１２の拡張ストラット２８、強化拡張ストラット９０を有する。強化拡張コラム８６は、ステント１０の各端に１つ、ステント１０の長さに沿って１つ位置決めされている。
【００４８】
拡張ストラットの幅６２は０．１５ｍｍであり、強化拡張ストラットの幅９２は０．２０ｍｍであり、連結ストラットの幅６６は０．１０ｍｍである。結合ストラット３０及び拡張ストラット２８によって形成された狭角４８は７５°であり、強化結合ストラット９６及び強化拡張ストラット９０によって形成された狭角９４は６０°である。
【００４９】
ステントの両端にのみ、或いは、ステントの一方端にのみ、或いは、ステントの長さ全体を通じて複数箇所に強化拡張コラム８６を提供することのような強化拡張コラム８６のその他の構造を用いることができ、この構造も本発明の範囲内にある。また、適当な拡張コラム２４、８６の拡張ストラット２８、強化拡張ストラット９０を短縮することによって、テーパを強化ステント１０に組み込むことができる。
【００５０】
図７Ａ、図７Ｂ及び図７Ｃに示す本発明の第４実施形態は、第３実施形態に似ているけれども、追加の特徴のリリースノッチ９８、１００を有する。リリースノッチは、金属がストラットから取り除かれた場所、通常、複数のストラットが連結される結合部にあるノッチである。リリースノッチ９８は、連結ストラット３８の第１直線部分５４と、拡張ストラット２８との間に形成された結合部に形成されている。リリースノッチ１００は、連結ストラット３８の第２直線部分５６と、拡張ストラット２８との間に形成された結合部に形成されている。リリースノッチの位置決めは、拡張されていないステントに追加の可撓性を与える。リリースノッチは、その他の結合部に設けることができ、上述したいずれの実施形態にも含めることができる。
【００５１】
図８Ａ及び図８Ｂは、本発明のステントの第５の実施形態の変形例の側面図である。この実施形態では、４ピース傾斜連結ストラット３８が使用され、一つの拡張コラム２４の拡張ストラット対３２の角を、隣接する拡張コラム２４の円周方向のオフセットされた拡張ストラット対３２の結合ストラット３０に連結している。拡張ストラット２８と、結合ストラット３０と、拡張コラム２４と、補強拡張ストラット９０と、補強結合ストラット９６と、補強拡張コラム８６は、図６Ａの第４の実施形態とほぼ同じである。しかしながら、連結ストラットコラム２６の連結ストラット３８は、後述するように、ジオメトリ（幾何学的配置）と連結とが変更されている。
【００５２】
図８Ａは、ステント表面の前半分のステントストラットのみを示している。ステント表面の裏半分は図示しない。ステントは、ステントストラットとその間の空間とが不透明であるかのように、表わされている。図８Ｂは、前半分および後半分の両方から全てのステントストラットを示している。ステントは、ストラットとその間の空間とが透明であるかのように、表されている。
【００５３】
図８Ｃに示されている本発明の第５の実施形態の第１の変形例は、１２の拡張コラム２４と、４つの補強拡張コラム８６と、１５の連結ストラットコラム２６とを備えたステント１０からなっている。この変形例では、ステント１０は、長さ１６が、３１．９６ｍｍであり、非拡張状態の円周８８が５．２６ｍｍである。図８Ｇに拡大して示されている連結ストラット３８は、４つの直線部分、すなわち、３つの傾斜角１７０、１７２、１７４をなしている、近位端部分１６２と、第１の中間部分１６４と、第２の中間部分１６６と、遠位端部分１６８とを備えている。近位端部分１６２の近位端は、拡張コラム２４の拡張ストラット対３２の角１７６に取付けられている。角１７６は、結合ストラット３０が拡張ストラット２８と狭い角度４８をなしているところに形成されている。拡張ストラット３２の第２の角１７８は、結合ストラット３０が拡張ストラット２８と広い角度５０をなしているところに形成されている。角１７６、１７８は、直線拡張ストラット２８と結合ストラット３０を結合することにより形成される傾斜形状を有することができ、または、角１７６、１７８を丸めて、鋭い角を取り除き大きな可撓性を提供するのが好ましい。さらに、丸められた角により、ステント１０は、より大きく拡張でき、かつ、拡張したとき、角のステントストラット材料の応力を減少させる。
【００５４】
連結ストラット３８の近位端部分１６２は、角１７６から延び、その遠位端が、傾斜角１７０をなして、第１の中間部分１６４に取付けられている。第１の中間部分１６４は、第１の中間部分１６４が拡張ストラット２８と平行であるように、近位端部分１６２から延び、その遠位端が、傾斜角１７２をなして第２の中間部分１６６の近位端に連結されている。
【００５５】
第２の中間部分１６６は、ステント１０の長手方向軸線に対して傾斜して延びて、ステント１０に沿って長手方向に且つステント１０を中心に円周方向に延びている。第２の中間部分１６６は、隣接する拡張コラム２４の円周方向にオフセットした拡張ステント対２３の結合ステント３０と平行であるのが好ましい。第２の中間部分１６６は、遠位端が、傾斜角１７４をなして、遠位端部分１６８の近位端に取付けられている。遠位端部分１６８は、第２の中間部分１６６から延び、その遠位端が、隣接する拡張コラム２４の円周方向にオフセットした拡張ストラット対３２の結合ストラット３０に取付けられている。取付けは、角１７６、１７８の間の点であり、結合ストラット３０は、拡張ストラット２８と、狭い角度４８と広い角度５０を、それぞれ、なしている。
【００５６】
遠位端部分１６８の結合ストラット３０への連結点は、角１７８より角１７６に近い。連結点は、角１７６から、１ないし２またはそれより大きい拡張ストラット幅であるのが好ましい。遠位端部分１６８の結合ストラット３０への連結点を、角１７６から角１７６と角１７８の間へオフセットさせることにより、拡張ステント１０のそりまたはねじれ(warp)が減少し、滑らかな表面変動（modulation）が得られ、血栓症の危険が減少する。加えて、この設計により、連結ストラット３８のより長い総直線長が得られ、これにより、拡張中にステント１０の短縮が、減少する。
【００５７】
図８Ｄ、図８Ｅに非拡張形態が、図８Ｆに拡張形態が示されている、本発明の第５の実施形態の第２の変形例は、６つの拡張コラム２４と、２つの補強拡張コラム８６と、７つの連結コラム２６とを備えたステント１０からなる。この変形例では、ステント１０は、長さ１６は、１５．０４ｍｍであり、非拡張の円周８８が５．２６ｍｍである。ステント１０の設計は、拡張コラム、補強拡張コラムおよび連結ストラットコラムの数が少ない図８Ｃの第５の実施形態の第１の変形例の設計とほぼ同じである。
【００５８】
図８Ｆは、第５の実施形態の第２の変形例の拡張したステント１０の一部分を示している。バルーンまたは他の手段でステント１０を拡張した後には、拡張ストラット２８は、円周方向に離れて拡げられており、拡張ストラット対３２の開放端３６での分離が増加し、その結果、ステント１０の円周が増大している。拡張ストラット２８を拡げると、拡張コラム２４の長手方向収縮がおこり、これが、連結ストラット３８が真っ直ぐになること（直線化）によって、補償される。拡張工程の間に、傾斜角１７０、１７２および１７４が広くなり、連結ストラット３８を真っ直ぐにし、隣接する拡張コラム２４の間の分離距離を大きくする。拡張ストラットの非対称連結セルの幾何学的配置を図８Ｆに示す。
【００５９】
図９Ａ、図９Ｂ、図９Ｃ、図９Ｄ、図９Ｅ、図９Ｆ、および、図９Ｇは、本発明のステントの第６の実施形態を示す。この実施形態では、３ピース傾斜連結ストラット３８が、一つの拡張コラム２４の拡張ストラット対３２の結合ストラット３０を隣接する拡張コラム２４の円周方向にオフセットした拡張ストラット対３２の結合ストラット３０に連結するために、使用されている。連結ストラット３８の各部分間の接合部は、滑らかな丸められた形状をなして、湾曲している。拡張ストラット２８と、結合ストラット３０と、拡張コラム２４と、補強拡張ストラット９０と、補強結合ストラット９６と、補強拡張コラム８６は、図８Ａの第４の実施形態とほぼ同じである。しかしながら、連結ストラットコラム２６の連結ストラット３８は、後述するように、ジオメトリ（幾何学的配置）と連結とが変更されている。
【００６０】
図９Ａ、図９Ｂ、および、図９Ｃに示される本発明の第６の実施形態の第１の変形例は、８つの拡張コラム２４と、３つの補強拡張コラム８６と、１０の連結ストラットコラム２６とを備えたステント１０からなる。この変形例では、ステント１０は、長さ１０が２０．３２ｍｍである。
【００６１】
リリーフノッチ２０４が、ステントの近位端１２と遠位端１４の補強拡張コラム８６の補強拡張ストラット９０と補強結合ストラット９６との間の接合部に、利用されている。リリーフノッチ２０４は、補強拡張ストラット９０と補強結合ストラット９６との間の接合部の幅を減少させ、ストラット拡張中および拡張後の接合部での金属の応力を減少させる。ステントの端は拡張中および拡張後に特にそり又はねじれ(warp)を受けやすいので、リリーフノッチ２０４はステントの端で特に重要である。リリーフノッチ２０４は、接合幅を減少させ、接合幅は、ステント壁４６の厚さとほぼ同じである（図１Ｂ、図１Ｃ参照）。
【００６２】
図９Ｄに拡大して示されている連結ストラット３８は ３つの直線部分、即ち、傾斜角２００、２０２をなしている遠位端部分１９４と中間部分１９６と近位端部分１９８と備えている。連結ストラット３８は、連結ストラットの各部分１９４、１９６、１９８の間に、広い半径の湾曲を有している。したがって、連結ストラット３８の形状は、鋭い角度で折り曲げられているのでなく、湾曲あるいは波打っている。傾斜角２００、２０２は、図９Ｄに示されているように、直線的に延びている近位端部分１９４、中間部分１９６、および、遠位端部分１９８によって、形成されている。
【００６３】
図９Ｅは、本発明の第６の実施形態の連結ストラットの設計の変形例を示している。図９Ｅに示されている連結ストラット３８は、近位端部分１９４、中間部分１９６および遠位端部分１９８の間の接合部で、小さな半径の湾曲を有している。従って、図９Ｅの連結ストラット３８は、図９Ｄの連結ストラットより、鋭い角度で折り曲げられている。
【００６４】
図９Ｄおよび図９Ｅの連結ストラット３８を参照すると、近位端部分１９４の近位端は、角１７６、１７８の間で、拡張ストラット対３２の結合ストラット３０に取付けられている。連結ストラット３８の近位端部分１９４は、結合ストラット３０から延び、その遠位端が、傾斜角２００をなして、中間部分１９６に取付けられている。中間部分１９６は、ステント１０の長手方向軸線に対して傾斜した向きで、近位端部分１９４から延び、ステント１０に沿って長手方向に且つステント１０を中心に円周方向に延びている。中間部分１９６は、連結された拡張ステント対３２の結合ストラット３０と平行であるのが好ましい。
【００６５】
中間部分１９６は、その遠位端が、傾斜角２０２をなして、遠位端部分１９８の近位端に連結されている。遠位端部分１９８は、第２の中間部分１９６から延び、その遠位端が、隣接する拡張コラム２４の円周方向にオフセットした拡張ストラット対３２の結合ストラット３０に取付けられている。取付けは、角１７６、１７８の間であり、そこで、結合ストラット３０は、拡張ストラット２８に対して、狭い角度４８と広い角度５０を、それぞれ、なしている。
【００６６】
近位端部分１９４および遠位端部分１９８の、結合ストラット３０への連結点は、角１７８より角１７６に近い。連結点は、角１７６から、１ないし２又はそれより大きい拡張ストラット幅であるのが好ましい。遠位端部分１９８の結合ストラット３０への連結点を、角１７６から角１７６と角１７８の間にオフセットさせることにより、ステント１０のそり又はねじれ(warp)が減少し、滑らかな表面変動（modulation）が得られ、血栓症の危険が減少する。加えて、この設計により、連結ストラット３８のより長い総直線長が得られ、これにより、拡張中にストラットの短縮が、減少する。
【００６７】
第６の実施形態の連結ストラット３８は、その中心の周りで、１８０度の回転対称である。しかしながら、各セルスペースで連結されたループスロット４２が異なっているので、ストラット３８の対称性は対称的なセルスペースをもたらさない。各拡張コラムの隣接するスープスロット４２が、交互に狭い幅と広い幅とを有し、セルスペースが対称にならないようにしている。１または多くの対称セルスースを導入することは、この設計では、例えば、同じセルスペースに収容された隣接する拡張コラム２４のループスロットに、均一なループスロット幅を提供することによって、達成される。加えて、対称または非対称なセルスペースを利用する完全に不均一なセルスペースは、例えば、ループスロット４２の幅の不均一に変化させることによって、達成される。
【００６８】
図９Ｆに非拡張形態で示されている本発明の第６の実施形態の第２の変形例は、６つの拡張コラム２４と、３つの補強拡張コラム８６と、８つの連結ストラットコラム２６とを備えているステント１０からなっている。この変形例では、ステント１０は、長さ１６が、１６．００ｍｍであり、非拡張状態の円周８８が５．２６ｍｍである。このステント１０は、拡張コラム２４と連結ストラットコラム２６の数が少ない図９Ａ、図９Ｂおよび図９Ｃの第６の実施形態の第１の変形例の設計とほぼ同じである。
【００６９】
図９Ｆに非拡張状態で示されている、本発明の第６の実施形態の第３の変形例は、１２の拡張コラム２４と、４つの補強拡張コラム８６と、１５の連結ストラットコラム２６とを備えているステント１０からなる。この変形例では、ステント１０は、長さ１６が、３０．０１ｍｍであり、非拡張状態の円周８８が５．２６ｍｍである。このステント１０は、拡張コラム２４と補強拡張コラム８６と連結ストラットコラム２６の数が多い図９Ａ、図９Ｂおよび図９Ｃの第６の実施形態の第１の変形例の設計とほぼ同じである。
【００７０】
図１０Ａ、図１０Ｂ及び図１０Ｃは、変形例の連結ストラットの設計の幾つかの例を示し、これらの設計は、上述したいずれの実施形態にも使用することができる。図１０Ａは丸みのついたループ状の連結ストラット３８を示し、このストラット３８は、隣接した拡張コラムの円周方向にオフセットした、又は、ずれた２つの拡張ストラット対３２を結合する。各拡張ストラット対３２の拡張ストラット２８が結合ストラット３０によって結合される。結合ストラット３０は、これらの結合ストラット３０が連結する拡張ストラット２８と共に狭角４８及び広角５０を形成するように、傾斜されている。丸みのついたループ状の連結ストラット３８は、拡張ストラット２８と結合ストラット３０との間に狭角が形成されている個所で拡張ストラット２８を連結する。近位端１０２及び遠位端１０４の丸みのついた連結ストラット３８の傾斜は、対の拡張ストラット２８を連結する結合ストラット３０の傾斜に実質的に合致する。かくして、丸みのついたループ状の連結ストラット３８は、結合ストラット３０に滑らかに移行する。更に、丸みのついたループ状の連結ストラット３８は、第１の曲率半径１０６と、第２の曲率半径１０８とを有する。
【００７１】
図１０Ｂの設計では、丸みのついたループ状の連結ストラット３８が、隣接した拡張コラムの円周方向にオフセットした２つの拡張ストラット対３２を結合する。各拡張ストラット対３２の拡張ストラット２８は結合ストラット３０によって結合される。結合ストラット３０は、これらの結合ストラット３０が連結する拡張ストラット２８に対して直角である。丸みのついたループ状の連結ストラット３８は、結合ストラット３０と同じ個所で拡張ストラット２８に連結する。丸みのついたループ状の連結ストラット３８は、第１の曲率半径１０６と、第２の曲率半径１０８とを有し、連結ストラット３８は、円周方向にオフセットした拡張ストラット対３２を連結する。
【００７２】
図１０Ｃの設計では、連結ストラット３８は、隣接した拡張コラムの円周方向にオフセットした２つの拡張ストラット対３２を結合する。各拡張ストラット対３２の拡張ストラット２８は結合ストラット３０によって結合される。結合ストラット３０は、これらの結合ストラット３０が連結する拡張ストラット２８と共に狭角４８及び広角５０を形成するように、傾斜されている。連結ストラット３８は、拡張ストラット２８と結合ストラット３０との間に狭角４８が形成される個所で拡張ストラット２８を連結する。
【００７３】
連結ストラット３８は３つの直線部分１１０、１１２、１１４で作られ、これらの直線部分１１０、１１２、１１４は２つの傾斜角１１６、１１８を形成する。部分１１０の近位端は、結合ストラット３０が拡張ストラット２８と共に狭角４８を形成する個所で拡張ストラット２８に取り付けられる。連結する部分１１０は、結合ストラット３０と実質的に同一線上に延び、遠位端が部分１１２に取り付けられて、傾斜角１１６を形成する。部分１１２は、該部分１１２が拡張ストラット２８と実質的に平行になるように部分１１０に対して或る角度に延び、遠位端が部分１１４の近位端に連結されて傾斜角１１８を形成する。部分１１４は、該部分１１４が隣接した拡張ストラット対３２の結合ストラット３０と実質的に同一線上にあるように、或る角度に延びる。部分１１４は、結合ストラット３０が拡張ストラット２８と共に狭角４８を形成する個所で、部分１１４の遠位端が隣接した拡張ストラット対３２の拡張ストラット２８につく。
【００７４】
図１０Ｄ及び図１０Ｅの設計では、連結ストラット３８は、隣接した拡張コラムの円周方向にオフセットした２つの拡張ストラット対３２を結合する。各拡張ストラット対３２の拡張ストラット２８は結合ストラット３０によって結合される。結合ストラット３０は、これらの結合ストラット３０が連結する拡張ストラット２８に対して直角である。連結ストラット３８は、結合ストラット３０と同じ個所で拡張ストラット２８に連結する。
【００７５】
図１０Ｄ及び図１０Ｅの連結ストラット３８は端と端とが連結された複連結ストラット部分で作られて、拡張ストラット対３２を隣接した拡張ストラット対３２に連結する複傾斜角度を持ったギザギザの連結ストラット３８を形成する。図１０Ｄの連結ストラット３８は、２つの傾斜角１２６、１２８を備えた３つの連結ストラット部分１２０、１２２、１２４で作られているのに対して、図１０Ｅの連結ストラットは、３つの傾斜角１３８、１４０、１４２を備えた４つの連結ストラット部分１３０、１３２、１３４、１３６で作られている。更に、連結ストラット部分１３６を点線又は破線がつけられた連結ストラット部分１４４と置換することによって連結ストラット部分１３４を改良し、別の可能な幾何学形状の連結ストラット３８を与えることができる。
【００７６】
図１０Ｆの設計では、連結ストラット３８が、２つの円周方向にオフセットした拡張ストラット対３２を、隣接する拡張コラム内で、結合している。各拡張ストラット対３２の拡張ストラット２８は、結合ストラット３０によって、結合されている。結合ストラット３０は、接触している拡張ストラット２８と狭い角度４８と広い角度５０をなすように傾斜させられている。
【００７７】
結合ストラット３８は、４つの直線部分、すなわち、３つの傾斜角１８８、１９０および１９２を形成している、近位端部分１８０と、第１の中間部分１８２、第２の中間部分１８４と、遠位端部分１８６とを備えている。部分１８０の近位端は、結合ストラット３０が拡張ストラット２８と狭い角度４８をなしている点で、角（曲がり角）１７６に取付けられている。近位端部分１８０は、ある角度で、結合ストラット３０まで延びており、その遠位端が、傾斜角１８８を形成する第１の中間部分１８２に取付けられている。第１の中間部分１８２は、第１の中間部分１８２が拡張ストラット２８とほぼ平行になるように、ある角度で近位端部分１８０まで延び、その遠位端が、傾斜角１９０を形成する第２の中間部分１８４の近位端に連結されている。第２の中間部分１８４は、第１の中間部分１８２より、かなり長い。第２の中間部分１８４は、隣接するストラット対３２の結合ストラット３０とほぼ平行であるように、ある角度で延びている。第２の中間部分１８４は、その遠位端が、傾斜角１９２を形成する遠位端部分１８６の近位端に取付けられている。遠位端部分１８６は、拡張ストラット２８に対して僅かに傾斜した配向で延びており、結合ストラット３０が拡張ストラット２８と狭い角度４８を形成している拡張ストラット対３２の角１７６に取付けられている。リリーフノッチ２０６が、連結ストラット３８の遠位端部分１８６と拡張ストラット対３２の角１７６との間の接合部に、形成され、非膨張ステントの可撓性を増大させ、ステントが拡張させられたときに、反らないようにしている。
【００７８】
当業者は、本発明による連結ストラット及び結合ストラットについて多くの構成を取ることができることを理解するであろう。上述した例は網羅的なリストとして意図されてはいない。特に、（ａ）連結ストラット部分は直線である必要はなく、１または２以上の湾曲の半径を含んでいるものでもよく、（ｂ）連結ストラット部分は、各々が、異なった長手方向軸線を有していてもよく、（ｃ）連結ストラット部分間の接合部は、切れ込みを入れられ又は鋭い必要はなく、１または２以上の湾曲の半径を含んで滑らかであってもよく、（ｄ）リリーフノッチが、いずれのストラット接合部にあってもよいことに留意すべきである。
【００７９】
本発明のステントは原則的には冠状血管への適用に適しているけれども、このステントの多機能性により非冠状血管、大動脈及び非脈管の管状の身体器官に適用することができる。
【００８０】
代表的な冠状脈管ステントは、２．５ｍｍ乃至５．０ｍｍの拡張径を有する。しかしながら、高い半径方向強度及び疲労耐久性を備えた、５．０ｍｍまで拡張するステントは、より小さな直径の血管に用いられるときに、許容することができないステントの高い金属割合を有してしまうかもしれない。ステントの金属割合が高いときには、急性血栓症の恐れ及び再狭窄の潜在性が高まることになる。同じ金属割合の場合でさえ、管腔直径の小さな血管は、管腔直径の大きな血管よりも、血栓症の率が高くなりそうである。従って、冠状への適用のため、少なくとも２つの異なる種類のステント、例えば、２．５ｍｍ乃至３．０ｍｍの直径の血管用の小血管ステントと、３．０ｍｍ乃至５．０ｍｍの直径の血管用の大血管ステントとを有することが好ましい。かくして、小血管及び大血管の両方は、適当な寸法のステントで処理されたときに、同様に理想化された金属割合のステントを収容することになる。
【００８１】
本発明のステントは、ステンレス鋼管からステントパターンを切断するＣＡＭ駆動レーザ切断システムを用いて作ることができる。荒切りステントを電解研磨して表面の凹凸や鋭いエッジを除去するのが好ましい。ＥＭＤ、光電エッチング技術、或いはその他の方法のようなステントを作る他の方法を用いることもできる。必要な構造強度、可撓性、生体適合性および拡張性を提供するかぎり、その他の金属およびポリマーを含むステントのための任意の材料を使用することができる。
【００８２】
スレントは代表的には、金、プラチナ、或いはその他の適当な金属のようなＸ線不透過性の金属で少なくとも部分的にめっきされている。局所的めっき加工によってステントの両端だけをめっきすることが好ましい。しかしながら、ステント全体、或いはその他の領域もめっきしてよい。両端をめっきするときには、ステントの各端上の１つから３つまたはそれ以上の拡張コラムをめっきしステントの両端をマーキングして、ステントの両端が、ステント設置手順中Ｘ線透視により同定されることができるようにする。両端においてのみステントをめっきすることによって、Ｘ線不透過性めっき材料とステントの性能特性または表面変調との干渉が最小にされる。さらに、必要とされるめっき材料の量が減らされ、それによって、ステントの材料費が安くされる。
【００８３】
めっき加工後、ステントを、代表的には当業界でよく知られた洗剤、塩水および超音波装置で洗浄する。次いで、ステントを、品質管理のために検査し、デリバリバルーンカテーテルに組み付け、正しく包装し、ラベル付けし、殺菌する。ステントは、単独で、或いは、図９に示されているように予め取り付けられたデリバリバルーンカテーテル組立体として市場に出すことができる。図９を参照すると、ステント１０は、デリバリバルーンカテーテル１５０の遠位端１４８の折り畳まれたバルーン１４６上にクリンプされている。組立体１５０は、近位端アダプタ１５２と、カテーテルシャフト１５４と、バルーンチャンネル１５６と、ガイドワイヤチャンネン１５８と、ガイドワイヤ１６０と、を含む。バルーン１４６は、膨張された状態において近位端から先細にされているか、湾曲されているか、或いは先細にされかつ湾曲されているのがよい。さらに、ステント１０は、拡張された状態において先細にされていなくて先細にされていてもよい。代表的には、ガイドワイヤ１６０を静脈または動脈に挿入し、目的部位まで前進させる。所定位置に置いたならば、バルーンチャンネル１５６を通じてバルーン１４６を膨張させて、ステント１０をクリンプされた状態から拡張された状態に拡張する。拡張された状態では、ステント１０は、所望の骨格結合支持を血管に提供する。ステント１０を拡張した後は、バルーン１４６を萎ませ、カテーテルシャフト１５４、バルーン１４６およびガイドワイヤ１６０を患者から引っ込める。
【００８４】
本発明のステントは、長さが１０ｍｍよりも短く、或いは、１００ｍｍ以上に作ることができる。しかしながら、長いステントを使用しようとする場合には、ステントをその配置位置に拡張するためには、適合した長さのデリバリカテーテルバルーンが代表的には必要とされる。長いステントは、目的血管によっては、配置のために湾曲した長いバルーンを必要とすることがある。血管の自然の湾曲に適合した湾曲されたバルーンは、ステント配置中血管へのストレスを減少させる。これは、湾曲された冠状血管におけるステント配置が必要となる多くの冠状血管への適用において特に重要である。かかる湾曲されたバルーンの使用は、本発明の範囲内にある。
【００８５】
本発明の好ましい実施形態のこれまでの説明は、例示と説明の目的でなされてきた。それは、用尽的なものを意図したものではなく、本発明を、開示した正確な形態に限定することを意図したものでもない。明らかに、当業者には、多くの変形および変更が明らかであろう。本発明の範囲は、以下の請求の範囲およびそれらの均等物によって画されるものである。
【図面の簡単な説明】
【００８６】
【図１Ａ】本発明のステントの実施態様の拡張前モードの側面図。
【図１Ｂ】本発明のステントの実施態様の断面図。
【図１Ｃ】本発明のステントの実施態様の縦断面図。
【図２Ａ】本発明のステントの実施態様のストラットパターンのスケール図。
【図２Ｂ】図２Ａのパターン部分の拡大図。
【図３Ａ】本発明のステントの実施態様の拡張前モードの概略図。
【図３Ｂ】本発明のステントの実施態様の拡張後モードの概略図。
【図４Ａ】本発明のステントの実施態様の寸法を含むスケール図。
【図４Ｂ】図４Ａのスケール図の拡大部分。
【図５】拡張後モードにおけるテーパーがつけられた直径を有する本発明のステントの実施態様のスケール図。
【図６Ａ】補強拡張コラムを備えた本発明のステントの実施態様のスケール図。
【図６Ｂ】図６Ａの実施態様の斜視図。
【図７Ａ】接合部の可撓性を増大させるため、ストラット接合部に設けたリリーフノッチを含む本発明のステントの実施態様のスケール図。
【図７Ｂ】図７Ａの実施態様の拡大領域。
【図７Ｃ】図７Ａの実施態様にしたがった２つの拡張ストラット対を結合する単一の連結ストラットの拡大図。
【図８Ａ】本発明のステントの１実施形態の側面図。
【図８Ｂ】本発明のステントの１実施形態の側面図であり、ステントストラットとストラット間の空間とが透明であるかのように示されている。
【図８Ｃ】本発明のストラットの１実施形態のスケール図。
【図８Ｄ】図８Ｃのストラットの実施形態の変形例。
【図８Ｅ】図８Ｄの実施形態の斜視図。
【図８Ｆ】本発明の図８Ｄの実施形態のストラットの拡張後の状態を示す図。
【図８Ｇ】本発明の実施形態による、２つの拡張ストラット対を結合する単一連結ストラットの拡大図。
【図９Ａ】本発明の１実施形態の側面図。
【図９Ｂ】図９Ａの実施形態の斜視図。
【図９Ｃ】図９Ａの実施形態のスケール図。
【図９Ｄ】図９Ｃの拡大領域。
【図９Ｅ】本発明のストラットの１実施形態のスケール図。
【図９Ｆ】本発明のストラットの１実施形態のスケール図。
【図９Ｇ】本発明の１実施形態による、２つの拡張ストラット対を結合する単一連結ストラットの拡大図。
【図１０Ａ】本発明にしたがった連結ストラットと結合ストラットの別の幾何学的配置の図面。
【図１０Ｂ】本発明にしたがった連結ストラットと結合ストラットの他の幾何学的配置の図面。
【図１０Ｃ】本発明にしたがった連結ストラットと結合ストラットの他の幾何学的配置の図面。
【図１０Ｄ】本発明にしたがった連結ストラットと結合ストラットの他の幾何学的配置の図面。
【図１０Ｅ】本発明にしたがった連結ストラットと結合ストラットの他の幾何学的配置の図面。
【図１０Ｆ】本発明による、連結ストラットと結合ストラットとの他のジメオトリ（幾何学的配置）の図面。
【図１１】本発明にしたがったステントのデリバリー方法を示すデリバリーバルーンカテーテル。
【図１Ａ】
2008055187.tif 000003
【図１Ｂ】
2008055187.tif 000004
【図１Ｃ】
2008055187.tif 000005
【図２Ａ】
2008055187.tif 000006
【図２Ｂ】
2008055187.tif 000007
【図３Ａ】
2008055187.tif 000008
【図３Ｂ】
2008055187.tif 000009
【図４Ａ】
2008055187.tif 000010
【図４Ｂ】
2008055187.tif 000011
【図５】
2008055187.tif 000012
【図６Ａ】
2008055187.tif 000013
【図６Ｂ】
2008055187.tif 000014
【図７Ａ】
2008055187.tif 000015
【図７Ｂ】
2008055187.tif 000016
【図７Ｃ】
2008055187.tif 000017
【図８Ａ】
2008055187.tif 000018
【図８Ｂ】
2008055187.tif 000019
【図８Ｃ】
2008055187.tif 000020
【図８Ｄ】
2008055187.tif 000021
【図８Ｅ】
2008055187.tif 000022
【図８Ｆ】
2008055187.tif 000023
【図８Ｇ】
2008055187.tif 000024
【図９Ａ】
2008055187.tif 000025
【図９Ｂ】
2008055187.tif 000026
【図９Ｃ】
2008055187.tif 000027
【図９Ｄ】
2008055187.tif 000028
【図９Ｅ】
2008055187.tif 000029
【図９Ｆ】
2008055187.tif 000030
【図９Ｇ】
2008055187.tif 000031
【図１０Ａ】
2008055187.tif 000032
【図１０Ｂ】
2008055187.tif 000033
【図１０Ｃ】
2008055187.tif 000034
【図１０Ｄ】
2008055187.tif 000035
【図１０Ｅ】
2008055187.tif 000036
【図１０Ｆ】
2008055187.tif 000037
【図１１】
2008055187.tif 000038